(57)【特許請求の範囲】
【請求項１】
複数のコネクタ端子が配設されたヘッダー部と、このヘッダー部に挿着されるＩＣカードをガイドするガイドフレームとを備え、前記ガイドフレームには、ガイドフレームを回路基板に取り付けるために前記回路基板に対して垂直に延びるネジ挿通孔が一体に形成されており、前記ネジ挿通孔は、前記ガイドフレームの外面側の上方、及び下方に外方から切り欠き形成された第１の切り欠き部、及び第３の切り欠き部と、前記ガイドフレームの内面側に内方から切り欠き形成された第２の切り欠き部との、お互いの開口部の一部を上下方向へ重ね合わせることによって形成され、且つ、前記ガイドフレームの外面側の上方に形成された前記第１の切り欠き部には、前記第１の切り欠き部よりも幅寸法が大きい切り欠きからなるナット取付部が一体に形成され、このナット取付部にナットが取り付けられることにより、前記ネジ挿通孔と前記ナットの孔が連続して貫通するように形成したことを特徴とするＩＣカード用コネクタ装置。
【請求項２】
前記ガイドフレームには、前記ナット取付部の開口を覆うガイド板が設けられると共に、このガイド板に、前記ナット取付部に取り付けられたナットに当接して前記ナットを抜け止めするナット係止部を設けたことを特徴とする請求項１記載のＩＣカード用コネクタ装置。
【請求項３】
前記ガイド板には、前記ガイドフレームの内側に延出されて挿着されたＩＣカードの側面に接触するカード接触片と、前記ヘッダー部及びガイドフレームが取り付けられる回路基板側へ延出されて回路基板のグランドに接触する接地片とを一体に形成したことを特徴とする請求項２記載のＩＣカード用コネクタ装置。
【請求項４】
前記ガイドフレームの上部側には、金属板からなるシールド板が配設されると共に、前記ガイド板の一端側には、前記シールド板に弾接するばね性を有する屈曲片を形成したことを特徴とする請求項２、又は３に記載のＩＣカード用コネクタ装置。
【発明の詳細な説明】
【０００１】
【発明の属する技術分野】
本発明は、パーソナルコンピュータなどの記憶媒体などに用いられるＩＣカードなどが着脱されて使用される、ＩＣカード用コネクタ装置の構造に関する。
【０００２】
【従来の技術】
パーソナルコンピュータにはＩＣカード用コネクタ装置が設けられているものがあり、このＩＣカード用コネクタ装置には記憶媒体としてＩＣカードが装着されるようになっている。
【０００３】
このＩＣカードをＩＣカード用コネクタ装置に挿着して必要な情報の読み出し、及び書き込みを行うが、このＩＣカードにはＩＣ（集積回路）などの半導体が組み込まれており、また、高周波回路を使用することから外部に電磁波ノイズ等の影響を与え易く、ＥＭＩ（輻射ノイズ）対策を行うために、シールド板などのシールド部材を備えたものがある。
【０００４】
この従来のＩＣカード用コネクタ装置の構造としては、合成樹脂などの絶縁材からなり、複数のコネクタ端子が配設されたヘッダー部と、このヘッダー部に係合され、同じく合成樹脂などの絶縁材から形成された、ＩＣカードを挿着するガイド部を有するガイドフレームと、ＩＣカードに接触するカード接触片を有し、ガイドフレームのガイド部に設けられてＩＣカードを接地するアース片や、ガイドフレームの上部側に配設されてＩＣカードの挿着部全体を覆うシールド板等のシールド部材が形成されたものが知られている。
【０００５】
また、ガイドフレームの一方の外側部には、ＩＣカードのイジェクト機構部（プッシュロッド、駆動板、ロックピン、復帰ばね等）が設けられており、この他にガイドフレームには、前記アース片や、前記ヘッダー部及びガイドフレームを回路基板などに取り付けるために、金属材のダイキャストなどで成型されたスペーサなどの取付部品等が取り付けられたものとなっている。
【０００６】
この従来のＩＣカード用コネクタ装置を、回路基板などに取り付ける場合には、このスペーサに設けられたネジ挿入孔に回路基板の裏側からネジを挿入し締め付けることによってネジ止め固定されるものとなっている。
【０００７】
【発明が解決しようとする課題】
しかしながら、上述した従来のＩＣカード用コネクタ装置の構造においては、前記ガイドフレームに別部品から形成された取付部品のスペーサを取り付ける構造になっており、このスペーサが専用部品となっていることから、部品のコストアップとなってしまい、部品のコスト削減が図れないという問題があった。
【０００８】
また、スペーサの代わりに市販されている一般部品である六角ナットなどを使用する場合においては、ガイドフレーム側にナット取付部を形成すると共に、ネジ挿通孔を一体的に形成しなければならず、ガイドフレームにネジ挿通孔を形成するためには、ガイドフレームを形成するための左右のスライド金型に加えて、上下方向のスライド金型が必要となるため、結局、金型の構造が複雑となってしまい、部品のコスト削減が図れないという問題があった。
【０００９】
したがって、本発明では上述した問題点を解決し、専用部品のスペーサの代わりに市販されている一般部品の六角ナットなどを使用する場合においても、ガイドフレームにネジ挿通孔を形成するのに、一方向のスライド金型を使用することが可能で、金型の構造を複雑にすることなしに部品のコスト削減が図れるＩＣカード用コネクタ装置を提供することを目的とする。
【００１０】
【課題を解決するための手段】
上記課題を解決するために本発明では第１の手段として、複数のコネクタ端子が配設されたヘッダー部と、このヘッダー部に挿着されるＩＣカードをガイドするガイドフレームとを備え、前記ガイドフレームには、ガイドフレームを回路基板に取り付けるために前記回路基板に対して垂直に延びるネジ挿通孔が一体に形成されており、前記ネジ挿通孔は、前記ガイドフレームの外面側の上方、及び下方に外方から切り欠き形成された第１の切り欠き部、及び第３の切り欠き部と、前記ガイドフレームの内面側に内方から切り欠き形成された第２の切り欠き部との、お互いの開口部の一部を上下方向へ重ね合わせることによって形成され、且つ、前記ガイドフレームの外面側の上方に形成された前記第１の切り欠き部には、前記第１の切り欠き部よりも幅寸法が大きい切り欠きからなるナット取付部が一体に形成され、このナット取付部にナットが取り付けられることにより、前記ネジ挿通孔と前記ナットの孔が連続して貫通するように形成したことを特徴とする。
【００１１】
また、第２の手段として、前記ガイドフレームには、前記ナット取付部の開口を覆うガイド板が設けられると共に、このガイド板に、前記ナット取付部に取り付けられたナットに当接して前記ナットを抜け止めするナット係止部を設けたことを特徴とする。
【００１２】
また、第３の手段として、前記ガイド板には、前記ガイドフレームの内側に延出されて挿着されたＩＣカードの側面に接触するカード接触片と、前記ヘッダー部及びガイドフレームが取り付けられる回路基板側へ延出されて回路基板のグランドに接触する接地片とを一体に形成したことを特徴とする。
【００１３】
また、第４の手段として、前記ガイドフレームの上部側には、金属板からなるシールド板が配設されると共に、前記ガイド板の一端側には、前記シールド板に弾接するばね性を有する屈曲片を形成したことを特徴とする。
【００１４】
【発明の実施の形態】
以下、本発明の１実施例を図１乃至図８に示す。図１は本発明のＩＣカード用コネクタ装置の平面図、図２は同じく側面図、図３はガイドフレームのネジ挿入孔にネジを挿入した状態の説明図、図４はガイドフレームにナットを取り付けた状態の部分斜視図、図５は同じく部分側面図、図６はガイドフレームの斜視図、図７は同じく側面図、図８はガイド板の斜視図である。
【００１５】
図において、ヘッダー部１は合成樹脂などの絶縁材で略Ｕ字状に形成されており、このヘッダー部１の一端側には、図示しないＩＣカードが挿入される収納部１ａが設けられている。この収納部１ａの内底部には、導電性の金属材からなる複数のコネクタ端子２が並設されており、このコネクタ端子２の一端側は、前記ヘッダー部１の外方へ導出されて、後述する中継基板４に接続される接続部２ａが形成されている。また、前記コネクタ端子２の他端側は、前記ヘッダー部１の収納部１ａ内に導出され、図示しないＩＣカードのソケットコネクタと接続される接触部２ｂが形成されたものとなっている。
【００１６】
シュラウド板３は、ステンレス板や鋼板などの金属材で、略方形の板状に形成されており、前記コネクタ端子２が並設された前記ヘッダー部１の上面側を覆うように配設されている。このシュラウド板３には、ＩＣカードの図示しないディンプル（接地用突起部）に接触する切り起こし片からなる複数の接片３ａが並んで形成されている。
【００１７】
中継基板４は、フェノール樹脂などの積層板からなり、その表面には複数の回路パターン（図示せず）や、前記コネクタ端子２や、前記シュラウド板３が半田付けされて電気的に接続される、接続ランド部（図示せず）が形成されたものとなっている。この中継基板４は前記ヘッダー部１の背面側に配設され、前記ヘッダー部１が回路基板５上に取り付けられる時に、回路基板５上に装着された図示しなカードエッジコネクタに挿着されるものとなっている。
カードエッジコネクタは基板挿着タイプの中継用コネクタで、前記中継基板４の図示しない回路パターンを介して前記コネクタ端子２の接続部２ａと、メインの回路基板の回路パターン（図示せず）とを電気的に接続している。
【００１８】
プッシュロッド６は、金属板からなるスライダ部６ａと、このスライダ部６ａの一端側に取り付けられた操作ツマミ部６ｂとを備え、前記ヘッダー部１と、このヘッダー部１の両側部に対向して配設された一対の後述するガイドフレーム９の内、一方の側部に、スライド可能に取り付けられている。また、前記プッシュロッド６の他端側は、同じく金属板からなるイジェクトレバー７と係合されており、このイジェクトレバー７は、前記プッシュロッド６をプッシュ動作することにより、その自由端部（図示せず）が回動し、この自由端部が図示しないＩＣカードの端部を押圧することで、前記ヘッダー部１の収納部１ａに収納されたＩＣカードが排出方向に押され、ＩＣカードが前記ヘッダー部１の収納部１ａから排出されるものとなっている。コイルばね８は、前記プッシュロッド６を初期位置へ付勢する復帰ばねである。
【００１９】
ガイドフレーム９は、合成樹脂などの絶縁材で略方形状に形成されている。このガイドフレーム９の一端側には、前記ヘッダー部１の両側部に係合される係合腕部９ａが形成されており、この係合腕部９ａが前記ヘッダー部１に係合されることによって前記ヘッダー部１と、一対のこのガイドフレーム９、９とに囲まれた中空域が、ＩＣカードを挿着、保持するＩＣカード挿入部となっている。また、前記ガイドフレーム９の内面側には、ＩＣカードが挿着され保持されるガイド溝９ｂが形成されており、このガイド溝９ｂは、ＩＣカードを上下に２枚重ねて挿着できるようにそれぞれ対向して上下２段に形成されたものとなっている。
【００２０】
また、前記ガイドフレーム９の外面側には、ＩＣカードを排出しない時に前記プッシュロッド６を格納位置にロックさせるためのロックカム９ｃが一体に形成されたものとなっている。また、前記ガイドフレーム９の前面（ＩＣカードの挿入側）近傍には、後述するガイド板１１を取り付けるための取付突部９ｄが設けられ、この取付突部９ｄには、前記ヘッダー部１及び前記ガイドフレーム９を回路基板５などへネジ止めして取り付けるための、回路基板５に対して垂直に延びるネジ挿通孔９ｅが一体に形成されている。
【００２１】
前記ネジ挿通孔９ｅは、複数個の切り欠き部を重ね合わせることにより形成されており、前記ガイドフレーム９の外面側の上方、及び下方には、断面が略Ｄ字状となるように外方から切り欠き形成された第１の切り欠き部９ｆ、と第３の切り欠き部９ｇが形成されている。この場合、下方の前記第３の切り欠き部９ｇよりも、上方の前記第１の切り欠き部９ｆの方が上下方向へ長く形成されたものとなっている。また、前記ガイドフレーム９の内面側の中央には、同じく断面が略Ｄ字状となるように、今度は内方から切り欠き形成された第２の切り欠き部９ｈが形成されている。この場合、前記第１、第３の切り欠き部９ｆ、９ｇと前記第２の切り欠き部９ｈとは、お互いが連続するように形成されており、お互いの開口部の一部を上下方向へ重ね合わせることによって上下方向、すなわち回路基板５に対して垂直に延びる方向へ貫通する前記ネジ挿通孔９ｅが形成されるものとなっている。
【００２２】
また、上方に形成された前記第１の切り欠き部９ｆには、この第１の切り欠き部９ｆよりも、幅寸法がやや大きめの切り欠きからなるナット取付部９ｉが、やはり外面側の外方から切り欠き形成されている。そして、このナット取付部９ｉにナット１０が取り付けられることにより、前記第１、第３の切り欠き部９ｆ、９ｇと、前記第２の切り欠き部９ｈとによって形成された前記ネジ挿通孔９ｅと前記ナット１０の孔が、連続した状態で貫通するように形成されるものとなっている。尚、上記ナット１０は一般市販されているものを使用している。
【００２３】
前記ネジ挿通孔９ｅを形成する方法としては、前記ガイドフレーム９を合成樹脂などから射出成形する場合に、前記ガイドフレーム９の内面側に形成される前記ガイド溝９ｂや、外面側に形成されるロックカム９ｃを形成するための一方向へスライド移動する左右（または上下）のスライド金型（図示せず）を利用して、この左右（または上下）のスライド金型に、それぞれ外方からの第１、第３の切り欠き部９ｆ、９ｇと、内方からの第２の切り欠き部９ｈを形成するためのコア部（図示せず）を設けることによって形成することができる。この場合、前記第１、第３の切り欠き部９ｆ、９ｇと第２の切り欠き部９ｈを形成するコア部は、左右（または上下）のスライド金型に対向させて設けると共に、お互いの一部が接触する（噛み合う）状態で配設するようにしておけばよい。
【００２４】
上記した方法によれば、前記ガイドフレーム９に前記ネジ挿通孔９ｅを形成するのに、前記ガイドフレーム９を形成するための左右のスライド金型に加えて、前記ネジ挿通孔９ｅを上下方向に形成するための上下のスライド金型を準備する必要がなく、金型の構造が簡易となり、部品のコスト削減が図れるものとなる。
【００２５】
ガイド板１１は、導電性の金属板を複数箇所折り曲げて、略Ｈ字状に形成されている。このガイド板１１には、前記ガイドフレーム９の取付突部９ｄに係合される基部１１ａと、この基部１１ａからそれぞれ対向する方向へ延出された、前記ガイドフレーム９に挿着されるＩＣカードの側面に接触されるカード接触片１１ｂと、前記プッシュロッド６のスライダ部６ａに接触されるスライダ接触片１１ｃとが設けられている。
【００２６】
また、前記基部１１ａの下部側には、前記ヘッダー部１及びガイドフレーム９が取り付けられる回路基板５側へ延出されて、回路基板５のグランド（図示せず）に接触する接地片１１ｄが折り曲げ形成されており、また、前記基部１１ａの上部側には、後述するシールド板１２に弾設するばね性を有する屈曲片１１ｅが形成されたものとなっている。また、前記基部１１ａの中央には、窓孔からなるナット係止部１１ｆが設けられ、前記ガイド板１１が、前記ガイドフレーム９の取付突部９ｄに取り付けられた時、前記ナット係止部１１ｆが前記ナット取付部９ｉに取り付けられたナット１０に当接することで前記ナット１０の抜け止めを行うようになっている。
【００２７】
このように、前記ガイド板１１が前記ナット取付部９ｉの開口側に取り付けられ、この開口側から配設された前記ナット１０に当接していることから、前記ガイドフレーム９が回路基板５にネジ１２でネジ止めされるまでの間、前記ナット１０が確実に前記ナット取付部９ｉに保持されており抜け落ちるのを防止できる。
また、前記ガイド板１１には、ＩＣカードと接触する前記カード接触片１１ｂ、及び回路基板５のグランドに接触する前記接地片１１ｄなどが一体に形成されており、一部ＥＭＩ（輻射ノイズ）対策用のアース板の機能も兼用していることから、特別に部品を追加する必要がないため、部品の削減、及び構成の簡易化が図れるものとなる。
【００２８】
シールド板１３は、ステンレス板や鋼板などの金属材で、略方形の板状に形成されており、前記ガイドフレーム９の上面側を覆うように配設されている。このシールド板１３の両側部には下方へ折り曲げて形成された接続片１３ａが設けられており、前記シールド板１３が前記ガイドフレーム９に取り付けられる際、前記接続片１３ａが前記ガイド板１１の屈曲片１１ｅと弾設されるようになっている。
【００２９】
前記シールド板１３は、前記ガイドフレーム９の上面側を覆うように配設されており、前記ガイドフレーム９に挿着されたＩＣカードの上面側を覆うことで、ＥＭＩ（輻射ノイズ）対策を行っている。この場合、前記シールド板１３は、前記ガイド板１１に接続されており、前記ガイド板１１を介して回路基板５のグランドに接続されるように形成されていることから、別途グランド接続用の部品を使用する必要がなく、部品の削減、及び構成の簡易化が図れるものとなっている。
【００３０】
【発明の効果】
以上説明したように、本発明のＩＣカード用コネクタ装置は、複数のコネクタ端子が配設されたヘッダー部と、このヘッダー部に挿着されるＩＣカードをガイドするガイドフレームとを備え、ガイドフレームには、ガイドフレームを回路基板に取り付けるために回路基板に対して垂直に延びるネジ挿通孔が一体に形成されており、ネジ挿通孔は、ガイドフレームの外面側の上方、及び下方に外方から切り欠き形成された第１の切り欠き部、及び第３の切り欠き部と、ガイドフレームの内面側に内方から切り欠き形成された第２の切り欠き部との、お互いの開口部の一部を上下方向へ重ね合わせることによって形成され、且つ、ガイドフレームの外面側の上方に形成された第１の切り欠き部には、第１の切り欠き部よりも幅寸法が大きい切り欠きからなるナット取付部が一体に形成され、このナット取付部にナットが取り付けられることにより、ネジ挿通孔とナットの孔が連続して貫通するように形成したことから、ガイドフレームにネジ挿通孔を形成するのに、ガイドフレームを形成するための左右のスライド金型に加えて、ネジ挿通孔を上下方向に形成するための上下のスライド金型を準備する必要がなく、金型の構造が簡易となり、部品のコスト削減が図れる。
【００３１】
また、ガイドフレームには、ナット取付部の開口を覆うガイド板が設けられると共に、このガイド板に、ナット取付部に取り付けられたナットに当接してナットを抜け止めするナット係止部を設けたことから、ガイドフレームが回路基板にネジ止めされるまでの間、ナットが確実にナット取付部に保持されており抜け落ちるのを防止できる。
【００３２】
また、ガイド板には、ガイドフレームの内側に延出されて挿着されたＩＣカードの側面に接触するカード接触片と、ヘッダー部及びガイドフレームが取り付けられる回路基板側へ延出されて回路基板のグランドに接触する接地片とを一体に形成したことから、ＥＭＩ（輻射ノイズ）対策用のアース板の機能も兼用しており、特別に部品を追加する必要がないため、部品の削減、及び構成の簡易化が図れる。
【００３３】
また、ガイドフレームの上部側には、金属板からなるシールド板が配設されると共に、ガイド板の一端側には、シールド板に弾接するばね性を有する屈曲片を形成したことから、ガイド板を介して回路基板のグランドに接続されるように形成されており、別途グランド接続用の部品を使用する必要がなく、部品の削減、及び構成の簡易化が図れる。
【図面の簡単な説明】
【図１】本発明の１実施例であるＩＣカード用コネクタ装置を示す平面図である。
【図２】本発明の同じくＩＣカード用コネクタ装置を示す側面図である。
【図３】本発明のガイドフレームのネジ挿入孔にネジを挿入した状態を示す説明図である。
【図４】本発明のガイドフレームにナットを取り付けた状態を示す部分斜視図である。
【図５】本発明の同じくガイドフレームにナットを取り付けた状態を示す部分側面図である。
【図６】本発明のガイドフレームを示す斜視図である。
【図７】本発明の同じくガイドフレームを示す側面図である。
【図８】本発明のガイド板を示す斜視図である。
【符号の説明】
１  ヘッダー部
１ａ  収納部
２  コネクタ端子
２ａ  接続部
２ｂ  接触部
３  シュラウド板
３ａ  接片
４  中継基板
５  回路基板
６  プッシュロッド
６ａ  スライダ部
６ｂ  ツマミ部
７  イジェクトレバー
８  コイルばね
９  ガイドフレーム
９ａ  係合腕部
９ｂ  ガイド溝
９ｃ  ロックカム
９ｄ  取付突部
９ｅ  ネジ挿通孔
９ｆ  第１の切り欠き部
９ｇ  第３の切り欠き部
９ｈ  第２の切り欠き部
９ｉ  ナット取付部
１０  ナット
１１  ガイド板
１１ａ  基板
１１ｂ  カード接触部
１１ｃ  スライダ接触片
１１ｄ  接地片
１１ｅ  屈曲片
１１ｆ  ナット係止部
１２  ネジ
１３  シールド板
１３ａ  接続片
【図１】
0003789734.tif 000002
【図２】
0003789734.tif 000003
【図３】
0003789734.tif 000004
【図４】
0003789734.tif 000005
【図５】
0003789734.tif 000006
【図６】
0003789734.tif 000007
【図７】
0003789734.tif 000008
【図８】
0003789734.tif 000009